(57)【特許請求の範囲】
【請求項１】
意匠部が形成された第１文字盤と、前記意匠部より外周側であって前記第１文字盤の前方側に配置された第２文字盤とを備えた文字盤と、
前記第１文字盤の前面に沿って回転する指針と、
前記第２文字盤の背後に配置されると共に、前記第１文字盤の前記前面において前記第２文字盤より内周側領域を、前記第１文字盤の前方側から照明するための光源と、
前記第２文字盤の背後において前記第２文字盤と前記光源との間に配置されると共に、前記光源の発した光を前記内周側領域に導く導光部材と、を備え、
前記導光部材は、前記内周側領域を囲むリング状に形成され、前記光源の発した光を一箇所から周方向両側へ反射するＶ字状の反射面と、当該反射された光の一部を前記内周側領域へ向かって散乱させる光散乱層が形成される裏面とを、有することを特徴とする指針計器。
【請求項２】
前記光源は、前記第１文字盤の背後に配置されると共に、前記光源が発した光の一部が、前記第１文字盤を透過照明することを特徴とする請求項１に記載の指針計器。
【請求項３】
前記光源の発した光を前記内周側領域に反射する反射部を、前記第２文字盤の裏面に形成していることを特徴とする請求項１又は２に記載の指針計器。
【請求項４】
前記光源が発した光の一部は、前記第２文字盤を透過照明することを特徴とする請求項１〜３のいずれか一項に記載の指針計器。
【発明の詳細な説明】
【技術分野】
【０００１】
本発明は、文字盤の前方側から文字盤の前面を照明する指針計器に関するものである。
【背景技術】
【０００２】
光源と、光源の発した光を文字盤の前方側から文字盤の前面へ導く導光リングを備え、文字盤の前方側から文字盤の前面を照明する指針計器が開示されている（特許文献１を参照）。
【０００３】
この指針計器では、見返し板の開口を通して文字盤と指針を視認させ、文字盤の外周側で見返し板によって隠蔽される位置に導光リングと光源を配置している。これにより、導光リングと光源は、視認されないで、文字盤の前方側から文字盤の前面を照明できる。
【特許文献１】特開２００１−９１３０９号公報
【発明の開示】
【発明が解決しようとする課題】
【０００４】
しかし、特許文献１では、導光リングと光源を隠蔽する見返し板のスペースが、文字盤の外周側に必要となるため、指針計器が大型化する問題がある。
【０００５】
本発明は、このような事情を考慮してなされたものであり、大型化しないで、文字盤の前方側から文字盤の前面を照明可能な指針計器を提供することを目的とする。
【課題を解決するための手段】
【０００６】
本発明は上記目的を達成する為、以下の技術的手段を採用する。
【０００７】
請求項１に記載の指針計器は、意匠部が形成された第１文字盤と、意匠部より外周側であって第１文字盤の前方側に配置された第２文字盤とを備えた文字盤と、第１文字盤の前面に沿って回転する指針と、第２文字盤の背後に配置されると共に、第１文字盤の前面において第２文字盤より内周側領域を、第１文字盤の前方側から照明するための光源と、第２文字盤の背後において第２文字盤と光源との間に配置されると共に、光源の発した光を内周側領域に導く導光部材と、を備え、導光部材は、内周側領域を囲むリング状に形成され、光源の発した光を一箇所から周方向両側へ反射するＶ字状の反射面と、当該反射された光の一部を内周側領域へ向かって散乱させる光散乱層が形成される裏面とを、有することを特徴とする。
【０００８】
請求項１に記載の発明によれば、第１文字盤の前面を第１文字盤の前方側から照明するための光源を、第２文字盤の背後に配置する。即ち、この光源を隠蔽するスペースを、指針計器の一部として利用している。このため、このスペースによって指針計器が大型化しない。したがって、指針計器を大型化しないで、文字盤の前方側から文字盤の前面を照明できる。
【０００９】
さらに、請求項１に記載の発明によれば、光源の発した光を内周側領域に導く導光部材を、第２文字盤の背後において第２文字盤と光源との間に配置している。このため、第２文字盤で隠蔽した導光部材によって、即ち、指針計器の一部を利用して隠蔽した導光部材によって、第１文字盤の前面を第１文字盤の前方側から効率的に照明できる。したがって、指針計器を大型化しないで、文字盤の前方側から文字盤の前面を効率的に照明できる。
【００１０】
請求項２に記載の発明によれば、第１文字盤の背後側に光源を配置して、光源が発した光の一部が第１文字盤を透過照明するため、透過照明用の光源を追加しないで、第１文字盤を透過照明できる。
【００１２】
請求項３に記載の発明によれば、光源の発した光を内周側領域に反射する反射部を、第２文字盤の裏面に形成しているため、第１文字盤の前面を第１文字盤の前方側から、簡易な構成で効率的に照明できる。したがって、指針計器を大型化しないで、且つ、簡易な構成で、文字盤の前方側から文字盤の前面を効率的に照明できる。
【００１３】
請求項４に記載の発明によれば、光源が発した光の一部が、第２文字盤を透過照明するため、透過照明用の光源を追加しないで、第２文字盤を透過照明できる。
【発明を実施するための最良の形態】
【００１４】
以下、本発明の実施形態を図面に基づいて説明する。以下の各実施形態相互において、図中の互いに同一若しくは均等である部分に、同一符号を付している。
【００１５】
（第１実施形態）
図１に示すスピードメータ１は、自車両の車室内の運転席前方に設けたインストルメントパネル内に配置され、文字盤２と指針５を備え、文字盤２は、目盛３１が形成された第１文字盤３と、文字４１が形成された第２文字盤４とを備える。
【００１６】
文字盤３，４は、ポリカーボネート樹脂等の光透過性基板に遮光性の背景層を形成して構成され、第１文字盤３では、例えば薄い青色の背景層を形成し、第２文字盤４では、例えば濃い青色の背景層を形成する。目盛３１と文字４１は、背景層の開口として形成され、光透過性を有する目盛３１と文字４１とが形成される。第２文字盤４は、目盛３１より外周側であって第１文字盤３の前方側（図２において左側）に配置される。指針５は、第１文字盤３の前面３２に沿って、目盛３１と文字４１を指示して回転し、これにより、スピードメータ１は、自車両の車速を表示する。
【００１７】
図２において、第１文字盤３の背後側（図２において右側）には、ムーブメント５１、発光ダイオード６１〜６３、ケース９２、および、プリント基板６４が配置され、ムーブメント５１と発光ダイオード６１〜６３は、プリント基板６４に実装される。ムーブメント５１は、ステッピングモータ、あるいは交差コイル式回転機等の電気アクチュエータからなり、外部からの車速信号に対応した角度にシャフト５２を回動させる。ムーブメント５１のシャフト５２の先端に、指針５が固定される。発光ダイオード６１の発した光は、ケース９２に導かれて、指針５を発光表示させ、発光ダイオード６２の発した光は、ケース９２に導かれて、第１文字盤３を透過照明する。
【００１８】
発光ダイオード６３は、第１文字盤３と第２文字盤４の少なくとも一方の背後（図２において右側）に配置され、具体的には、第２文字盤４の背後（図２において右側）に配置される。発光ダイオード６３は、第１文字盤３の前面３２において第２文字盤４より内周側領域（図１において第２文字盤４より内周側領域）を、第１文字盤３の前方側（図２において左側）から照明する。また、発光ダイオード６３は、第２文字盤４も透過照明する。
【００１９】
図３に示す導光リング７は、第１文字盤３と第２文字盤４の少なくとも一方の背後（図２において右側）に配置され、具体的には、第２文字盤４の背後（図２において右側）に配置される。また、導光リング７は、第２文字盤４と発光ダイオード６３の間に配置される。導光リング７は、発光ダイオード６３の発した光を、図２に示す光路Ｐ１にしたがって、第１文字盤３の前面３２において第２文字盤４より内周側領域に導いて、この内周側領域を第１文字盤３の前方側から照明させる。また、導光リング７は、発光ダイオード６３の発した光を、図２に示す光路Ｐ２にしたがって、第２文字盤４に導いて、第２文字盤４を透過照明させる。
【００２０】
スピードメータ１は、請求項に記載の指針計器に相当し、目盛３１は、請求項に記載の意匠部に相当し、発光ダイオード６３は、請求項に記載の光源に相当し、導光リング７は、請求項に記載の導光部材に相当する。
【００２１】
導光リング７は、透明なアクリル樹脂等から、図１と図３に示すようにリング状に形成され、リング状のリング部７１と、発光ダイオード６３からの光をリング部７１に導く受光部７２と、リング部７１の裏面に形成された例えば微細な凹凸からなるシボ等の光散乱層７３とを備える。受光部７２は、図２と図４に示すように、第１文字盤３の開口３３を通してリング部７１から発光ダイオード６３へ延出し、発光ダイオード６３からの光を受光する受光面７２１が、受光部７２の先端に形成される。リング部７１には、受光面７２１から受光された発光ダイオード６３からの光をリング部７１内に反射する反射面７１１が形成される。
【００２２】
受光面７２１から受光された発光ダイオード６３からの光は、図３に示す光路Ｐ３にしたがって、反射面７１１で反射し、且つ、リング部７１の外周側側面と内周側側面で反射して、リング部７１に沿ってリング部７１の全周に導かれる。
【００２３】
光路Ｐ３にしたがってリング部７１の全周に導かれた光の一部は、リング部７１の全周側から、図２〜４に示す光路Ｐ１にしたがって、光散乱層７３で第１文字盤３の前面３２（内周側領域）側に散乱されて、第１文字盤３の前面３２（内周側領域）を、第１文字盤３の前方側（図３において上側）から照明する。また、光路Ｐ３にしたがってリング部７１の全周に導かれた光の一部は、リング部７１の全周側から、光散乱層７３で第２文字盤４側に散乱されて、図２〜４に示す光路Ｐ２にしたがって、第２文字盤４を透過照明する。
【００２４】
このようにして、導光リング７は、光ダイオード６３からの光を、光路Ｐ１，Ｐ３にしたがって前方側から第１文字盤３の前面３２を照明させ、光路Ｐ２，Ｐ３にしたがって第２文字盤４を透過照明させる。
【００２５】
図２において、文字盤３，４、指針５、導光リング７、および、発光ダイオード６１〜６３等が実装されたプリント基板６４等は、見返し板９１、ケース９２、ロアケース９３、および、透明カバー９４からなる筐体９０に収容固定される。第２文字盤４と導光リング７は、スペーサ８を介して見返し板９１と第１文字盤３で挟み込むことによって、筐体９０に固定される。スペーサ８は、導光リング７のリング部７１に沿ってリング状に形成されている。
【００２６】
なお、第２文字盤４と導光リング７とスペーサ８と第１文字盤３とに樹脂ピンを貫通させ、貫通させた樹脂ピンの両端を熱カシメして、これらを固定する構成とすることも可能である。この構成では、第２文字盤４側の熱カシメ部を、見返し板９１によって隠蔽する構成とする。
【００２７】
以上の構成によれば、第１文字盤３の前面３２を第１文字盤３の前方側から照明する発光ダイオード６３および導光リング７を、第２文字盤４の背後に配置する、即ち、発光ダイオード６３と導光リング７を隠蔽するスペースを、スピードメータ１の一部として利用している。このため、発光ダイオード６３と導光リング７を隠蔽するスペースによって、スピードメータ１が大型化することがない。したがって、スピードメータ１を大型化しないで、第１文字盤３の前方側から第１文字盤３の前面３２を照明できる。
【００２８】
発光ダイオード６３の発した光を第１文字盤３の前面３２に導く導光リング７を、第２文字盤４の背後であって第２文字盤４と発光ダイオード６３の間に配置している。このため、第２文字盤４で隠蔽した導光リング７によって、即ち、スピードメータ１の一部を利用して隠蔽した導光リング７によって、第１文字盤３の前方側から第１文字盤３の前面３２を効率的に照明できる。したがって、スピードメータ１を大型化しないで、第１文字盤３の前方側から第１文字盤３の前面３２を効率的に照明できる。
【００２９】
発光ダイオード６３が発した光の一部が、第２文字盤４を透過照明するため、第２文字盤４を透過照明するための発光ダイオードを追加しないで、第２文字盤４を透過照明できる。
【００３０】
光路Ｐ３にしたがってリング部７１の全周に導かれた光が、リング部７１の全周側から光路Ｐ１にしたがって、第１文字盤３の前面３２を第１文字盤３の前方側から照明する。また、光路Ｐ３にしたがってリング部７１の全周に導かれた光が、リング部７１の全周側から、図２〜４に示す光路Ｐ２にしたがって、第２文字盤４を透過照明する。したがって、第１文字盤３の前面３２と第２文字盤４を均一に照明できる。
【００３１】
（第２実施形態）
第２実施形態では、図５に示すように、図２に示す導光リング７の代わりに導光リング７Ａを設け、発光ダイオード６３を、第２文字盤４の背後から指針５の回転中心側に外れた位置であって、第１文字盤３の背後に配置する。
【００３２】
導光リング７と同様に、導光リング７Ａも、透明なアクリル樹脂等から、リング状に形成され、リング部７１と、光散乱層７３とを備え、受光部７２の代わりに受光部７２Ａを備える。受光部７２Ａは、発光ダイオード６３からの光を受光する受光面７２１Ａと、受光面７２１Ａからの入射光を反射面７１１に反射する反射面７２２Ａ，７２３Ａを備える。図５に示すように、受光部７２Ａにおいて受光面７２１Ａと反射面７２２Ａは、第２文字盤４の背後から指針５の回転中心側に外れた位置であって、第１文字盤３の背後に配置される。即ち、導光リング７Ａの一部（受光部７２Ａにおいて受光面７２１Ａと反射面７２２Ａ）は、第２文字盤４の背後から外れた位置であって、第１文字盤３の背後に配置され、導光リング７Ａの残部は、第２文字盤４の背後に配置される。
【００３３】
導光リング７Ａは、発光ダイオード６３の発した光を、光路Ｐ１０にしたがって、第１文字盤３の前面３２において第２文字盤４より内周側領域に導いて、この内周側領域を第１文字盤３の前方側（図５において左側）から照明させる。また、導光リング７Ａは、発光ダイオード６３の発した光を、光路Ｐ２０にしたがって、第２文字盤４に導いて、第２文字盤４を透過照明させる。導光リング７Ａは、請求項に記載の導光部材に相当する。
【００３４】
このような構成により、発光ダイオード６３、を、第１文字盤３と第２文字盤４の少なくとも一方の背後に配置し、発光ダイオード６３の発した光を内周側領域に導く導光リング７Ａを、第１文字盤３と第２文字盤４の少なくとも一方の背後であって第２文字盤４と発光ダイオード６３の間に配置している。このため、第１文字盤と第２文字盤の少なくとも一方で隠蔽した発光ダイオード６３と導光リング７Ａとによって、即ち、指針計器の一部を利用して隠蔽した発光ダイオード６３と導光リング７Ａとによって、第１文字盤３の前面３２を第１文字盤３の前方側から効率的に照明できる。したがって、スピードメータ１を大型化しないで、第１文字盤３の前方側から第１文字盤３の前面３２を効率的に照明できる。
【００３５】
（第３実施形態）
第３実施形態では、図６に示すように、図２に示す導光リング７を無くして、発光ダイオード６３が発した光を、第２文字盤４Ａに形成された反射面４２Ａによって、第１文字盤３の前面３２へ反射させる構成とする。
【００３６】
具体的に、発光ダイオード６３が発した光が、光路Ｐ１１，Ｐ２１にしたがって第２文字盤４Ａの反射面４２Ａに到達可能なように、第１文字盤３に開口３３Ａが形成される。反射面４２Ａからの反射光が、光路Ｐ１１にしたがって、第１文字盤３の前面３２に到達可能なように、光透過性のスペーサ８Ａとして、例えば、透明なアクリル樹脂等からスペーサ８Ａが形成される。
【００３７】
反射面４２Ａは、反射面４２Ａに到達した光の一部が、光路Ｐ２１にしたがって第２文字盤４Ａを透過可能なように、光反射性と光透過性の両方を有する、例えば、微細な凹凸からなるシボ面やハーフミラー層等として反射面４２Ａが形成される。第２文字盤４Ａは、第２文字盤４と同様に光透過性を有するように形成される。反射面４２Ａは、請求項に記載の反射部に相当する。
【００３８】
なお、第１文字盤３の前面３２と第２文字盤４Ａを均一に照明するため、複数の発光ダイオード６３が、第２文字盤４Ａの円弧に沿って等間隔でプリント基板６４に実装される。
【００３９】
以上の構成により、導光リング７をなくして構成を簡素化しつつ、スピードメータ１を大型化しないで、光路Ｐ１１にしたがって第１文字盤３の前方側から第１文字盤３の前面３２を照明できる。
【００４０】
発光ダイオード６３の発した光を第１文字盤３の前面３２に反射する反射面４２Ａを、第２文字盤４Ａの裏面に形成しているため、第１文字盤３の前面３２を第１文字盤３の前方側から、簡易な構成で効率的に照明できる。したがって、スピードメータ１を大型化しないで、且つ、簡易な構成で、第１文字盤３の前方側から第１文字盤３の前面３２を効率的に照明できる。
【００４１】
発光ダイオード６３が発した光の一部が、光路Ｐ２１にしたがって第２文字盤４Ａを透過照明するため、第２文字盤４Ａを透過照明するための発光ダイオードを追加しないで、第２文字盤４Ａを透過照明できる。
【００４２】
（第４実施形態）
第４実施形態では、図７と図８に示すように、発光ダイオード６３は、第２文字盤４Ｂの背後（図７と図８において右側）ではあるが、第１文字盤３の前方側（図７と図８において左側）に配置され、発光ダイオード６３が光を第１文字盤３の前面３２へ発する配置となっている。
【００４３】
第２文字盤４Ｂの裏面に固定されたフレキシブルプリント配線板（ＦＰＣ）６３１に、発光ダイオード６３が実装され、ＦＰＣ６３１の一部は、プリント基板６４に延出してプリント基板６４と電気的に接続される。発光ダイオード６３は、ＦＰＣ６３１によってプリント基板６４と電気的に接続されて、発光ダイオード６３の点燈・消燈が制御される。スペーサ８，８Ａの代わりにスペーサ８Ｂを用いて第２文字盤４Ｂが、筐体９０に固定される。第２文字盤４Ｂは、第２文字盤４，４Ａと異なり不透過性の文字盤として形成される。
【００４４】
なお、第１文字盤３の前面３２を均一に照明するため、複数の発光ダイオード６３が、第２文字盤４Ｂの円弧に沿って等間隔でＦＰＣ６３１に実装される。
【００４５】
以上の構成により、発光ダイオード６３を、第１文字盤３の前方側に配置しているため、光路Ｐ１２にしたがって第１文字盤３の前面３２を第１文字盤３の前方側から、簡易な構成で照明できる。したがって、スピードメータ１を大型化しないで、且つ、簡易な構成で、第１文字盤３の前方側から第１文字盤３の前面３２を照明できる。
【００４６】
第４実施形態の第１変形例では、図９に示すように、発光ダイオード６３は、第１文字盤３と第２文字盤４の間であって、見返し板９１の内側面に配置され、発光ダイオード６３が光を第１文字盤３の前面３２と第２文字盤４の裏面の両方へ発する配置となっている。
【００４７】
見返し板９１の内側面に固定されたフレキシブルプリント配線板（ＦＰＣ）６３１Ａに、発光ダイオード６３が実装され、ＦＰＣ６３１Ａの一部は、プリント基板６４に延出してプリント基板６４と電気的に接続される。発光ダイオード６３は、ＦＰＣ６３１Ａによってプリント基板６４と電気的に接続されて、発光ダイオード６３の点燈・消燈が制御される。
【００４８】
発光ダイオード６３が発した光は、光路Ｐ１３にしたがって光透過性のスペーサ８Ａを通して、第１文字盤３の前面３２を照明する。光路Ｐ２３にしたがって、発光ダイオード６３が発した光は、光透過性のスペーサ８Ａを通して、光透過性の第２文字盤４を透過照明する。なお、第１文字盤３の前面３２と第２文字盤４を均一に照明するため、複数の発光ダイオード６３が、第２文字盤４の円弧に沿って等間隔でＦＰＣ６３１Ａに実装される。
【００４９】
以上の構成により、発光ダイオード６３を、第１文字盤３の前方側に配置しているため、光路Ｐ１３にしたがって第１文字盤３の前面３２を第１文字盤３の前方側から、簡易な構成で照明できる。したがって、スピードメータ１を大型化しないで、且つ、簡易な構成で、第１文字盤３の前方側から第１文字盤３の前面３２を照明できる。
【００５０】
発光ダイオード６３が発した光の一部が、光路Ｐ２３にしたがって第２文字盤４を透過照明するため、第２文字盤４を透過照明するための発光ダイオードを追加しないで、第２文字盤４を透過照明できる。
【００５１】
第４実施形態の第２変形例では、図１０において、図９に示す第２文字盤４の一部を屈曲させて第１文字盤３側へ傾斜させた光透過性の第２文字盤４Ｃとし、この傾斜した部分の裏面に反射面４２Ｃを形成する。反射面４２Ｃは、光反射性と光透過性の両方を有するように、シボ面やハーフミラー層等として形成される。反射面４２Ｃは、請求項に記載の反射部に相当する。なお、第１文字盤３の前面３２と第２文字盤４Ｃを均一に照明するため、複数の発光ダイオード６３が、第２文字盤４Ｃの円弧に沿って等間隔でＦＰＣ６３１Ａに実装される。
【００５２】
以上の構成により、発光ダイオード６３を、第１文字盤３の前方側に配置しているため、光路Ｐ１４にしたがって第１文字盤３の前面３２を第１文字盤３の前方側から、簡易な構成で照明できる。
【００５３】
第２文字盤４Ｃの一部を屈曲させて第１文字盤３側へ傾斜させ、この傾斜した部分の裏面に反射面４２Ｃを形成しているため、光路Ｐ１４が光路Ｐ１４１，Ｐ１４２の総和となっている。即ち、発光ダイオード６３が発した光は、光路Ｐ１４１にしたがって直接第１文字盤３の前面３２を照明し、これに加えて、光路Ｐ１４２にしたがって反射面４２Ｃで反射して第１文字盤３の前面３２を照明する。したがって、光路Ｐ１４（光路Ｐ１４１，１４２）にしたがって第１文字盤３の前面３２を第１文字盤３の前方側から、効率的に、簡易な構成で照明できる。
【００５４】
発光ダイオード６３が発した光の一部が、光路Ｐ２４にしたがって第２文字盤４Ｃを透過照明するため、第２文字盤４Ｃを透過照明するための発光ダイオードを追加しないで、第２文字盤４Ｃを透過照明できる。
【００５５】
第４実施形態の第３変形例では、図１１に示すように、図９において第２文字盤４の代わりに第２文字盤４Ａを用い、図９において上面発光式の発光ダイオード６３の代わりに側面発光式の発光ダイオード６３Ａを用い、且つ、発光ダイオード６３Ａの発光側側面を第２文字盤４Ａに向けている。なお、第１文字盤３の前面３２と第２文字盤４Ａを均一に照明するため、複数の発光ダイオード６３Ａが、第２文字盤４Ａの円弧に沿って等間隔でＦＰＣ６３１Ａに実装される。
【００５６】
第３変形例では、発光ダイオード６３Ａの発光側側面を第２文字盤４Ａに向けているため、光路Ｐ１５にしたがって第１文字盤３の前面３２を照明する照明効率と、光路Ｐ２５にしたがって光透過性の第２文字盤４Ａを透過照明する照明効率とを、向上させることができる。
【００５７】
（第５実施形態）
第５実施形態では、図１２に示すように、図６に示す発光ダイオード６２を無くし、第１文字盤３の前面３２を照明し、且つ、第２文字盤４Ａを透過照明する発光ダイオード６３が発した光の一部が、第１文字盤３を透過照明する構成としている。発光ダイオード６３は、第２文字盤４Ａの背後から指針５の回転中心側に外れた位置に配置されているが、第１文字盤３の背後に配置される。ケース９２の内側面には、反射面９２１が形成される。
【００５８】
発光ダイオード６３が発した光は、光路Ｐ１６にしたがって、透明ケース９２２を透過して反射面９２１で反射し、この反射光が光透過性のスペーサ８Ａを透過し、第２文字盤４Ａの反射面４２Ａで反射して、第１文字盤３の前面３２を照明する。また、発光ダイオード６３が発した光は、光路Ｐ２６にしたがって、透明ケース９２２を透過して反射面９２１で反射し、この反射光が第２文字盤４Ａを透過照明する。また、発光ダイオード６３が発した光は、光路Ｐ４にしたがって第１文字盤３を透過照明する。
【００５９】
なお、第１文字盤３の前面３２と第２文字盤４Ａを均一に照明するため、複数の発光ダイオード６３が、第２文字盤４Ａの円弧に沿って等間隔でプリント基板６４に実装される。
【００６０】
このような構成により、第１文字盤３の前面３２を第１文字盤３の前方側から照明する発光ダイオード６３を、第２文字盤４Ａの背後ではないが、第１文字盤３の背後に配置する、即ち、発光ダイオード６３を隠蔽するスペースを、スピードメータ１の一部として利用している。このため、発光ダイオード６３を隠蔽するスペースによって、スピードメータ１が大型化することがない。したがって、スピードメータ１を大型化しないで、第１文字盤３の前方側から第１文字盤３の前面３２を照明できる。
【００６１】
また、発光ダイオード６３が発した光は、光路Ｐ２６にしたがって第２文字盤４Ａを透過照明し、光路Ｐ４にしたがって第１文字盤３を透過照明する。したがって、第２文字盤４Ａを透過照明するための発光ダイオード、および、第１文字盤３を透過照明するための発光ダイオード６２を追加しないで、第２文字盤４Ａと第１文字盤３を透過照明できる。
【００６２】
（第６実施形態）
第６実施形態では、図１３に示すように、図２に示す指針５を、第２文字盤４の前面４３より前方側（図１３において左側）に延長させて屈曲させた指針５Ａとしている。このため、指針５Ａは、第１文字盤３の前面３２と第２文字盤４の前面４３の両方に沿って回転して、図１に示す目盛３１と文字４１の両方をより明確に指示できる。
【図面の簡単な説明】
【００６３】
【図１】本発明の第１実施形態によるスピードメータの正面図である。
【図２】図１中のＩＩ−ＩＩ線断面図である。
【図３】図２に示す導光リングの斜視図である。
【図４】図１中のＩＶ−ＩＶ線断面図である。
【図５】本発明の第２実施形態によるスピードメータの断面図である。
【図６】本発明の第３実施形態によるスピードメータの断面図である。
【図７】本発明の第４実施形態によるスピードメータの断面図である。
【図８】図７中のＶＩＩＩ部の拡大断面図である。
【図９】図８の第１変形例を示す拡大断面図である。
【図１０】図８の第２変形例を示す拡大断面図である。
【図１１】図８の第３変形例を示す拡大断面図である。
【図１２】本発明の第５実施形態によるスピードメータの断面図である。
【図１３】本発明の第６実施形態によるスピードメータの断面図である。
【符号の説明】
【００６４】
１  スピードメータ（指針計器）、２  文字盤、３  第１文字盤、３１  目盛（意匠部）
３２  前面、３３，３３Ａ  開口、４，４Ａ，４Ｂ，４Ｃ  第２文字盤、４１  文字
４２Ａ，４２Ｃ  反射面（反射部）
４３  前面、５，５Ａ  指針、５１  ムーブメント、５２  シャフト
６１、６２  発光ダイオード、６３，６３Ａ  発光ダイオード（光源）
６３１，６３１Ａ  フレキシブルプリント配線板（ＦＰＣ）、６４  プリント基板
７，７Ａ  導光リング（導光部材）、７１  リング部、７１１  反射面
７２，７２Ａ  受光部、７２１，７２１Ａ  受光面、７２２Ａ，７２３Ａ  反射面
７３  光散乱層、８，８Ａ，８Ｂ  スペーサ、９１  見返し板、９２  ケース
９２１  反射面、９２２  透明ケース、９３  ロアケース、９４  透明カバー
【図１】
0005200647.tif 000002
【図２】
0005200647.tif 000003
【図３】
0005200647.tif 000004
【図４】
0005200647.tif 000005
【図５】
0005200647.tif 000006
【図６】
0005200647.tif 000007
【図７】
0005200647.tif 000008
【図８】
0005200647.tif 000009
【図９】
0005200647.tif 000010
【図１０】
0005200647.tif 000011
【図１１】
0005200647.tif 000012
【図１２】
0005200647.tif 000013
【図１３】
0005200647.tif 000014